(57)【特許請求の範囲】
【請求項１】
空調機のための蒸発機モジュールであって、
第一及び第二の対向する面を有するハウジングを有し、
前記ハウジングの内部で運転可能に支持された蒸発機コイルを有し、前記コイルは、前記ハウジングの前記第一及び第二の面と実質的に平行に伸びた第一及び第二の互いに反対側に面する面を有し、
前記ハウジングの内部に運転可能に支持された蒸発機のファン及びモータを有し、
前記ハウジングの内部に運転可能に設けられた空気流制御装置を有し、この制御装置は、前記ファンと協働して周囲の空気を前記蒸発機コイルを通るように導くとともにこの空気を冷却されるべき空間に再度導くように設けられており、
前記ハウジングの内部に設けられた、蒸発器コイルを支持するとともに凝縮液を収集する装置を有し、この装置は、前記蒸発機コイルと前記蒸発機ファンとの間に設けられた実質的に平面状の壁を含み、この平面状の壁は、空気を通過させるとともに前記蒸発機コイルにわたって空気が流れるのを可能とする開口部を有し、前記平面状の壁は、前記蒸発機コイルの第一の面に隣接する第一の端部を有し、この第一の端部は、該第一の端部から実質的に垂直に延在する第一の蒸発機コイル支持構造を有しており、前記平面状の壁は、前記蒸発機コイルの第二の面に隣接する第二の端部を有し、この第二の端部は、該第二の端部から実質的に垂直に延在する第二の蒸発機コイル支持構造を有しており、
前記第一および第二の蒸発機コイル支持構造は、前記蒸発機コイルの第一および第二の面とそれぞれ係合するとともにこれらの面をそれぞれ支持するように構成されており、前記第一の蒸発機コイル支持構造は、前記コイルの第一の面が下方に面するように該コイルが配置された場合に、前記蒸発機コイルから凝縮液を収集するように設けられており、前記第二の蒸発機コイル支持構造は、前記コイルの第二の面が下方に面するように該コイルが配置された場合に、前記蒸発機コイルから凝縮液を収集するように設けられていることを特徴とする蒸発機モジュール。
【請求項２】
前記空気流制御装置は、冷却されるべき空間に空気を再度導くための吐出口を含み、前記吐出口は、前記ハウジングの前記第一面に隣接して実質的に垂直に伸び、これにより、前記蒸発機モジュールが前記第一の面を上にして配置された場合には、この頂部近くから空気が吐出され、前記蒸発機が前記第一の面を下にして配置された場合には、その底部近くから空気が吐出されることを特徴とする請求項１記載の蒸発機モジュール。
【請求項３】
前記第一および第二の蒸発機コイル支持構造は、前記平面状の壁と一体形成されているとともに該平面状の壁の対応する端部から垂直方向外向きに延在する平面状の支持壁をそれぞれ有するとともに、前記各々の支持壁から延在して前記蒸発機コイルの第一および第二の面にそれぞれ隣接して凝縮液収集パンを画成する周囲壁を有することを特徴とする請求項１記載の蒸発機モジュール。
【請求項４】
前記平面状の支持壁の間の間隔は、前記蒸発機コイルの第一および第二の面の間の間隔と実質的に等しく、前記蒸発機コイルの第一および第二の端部が対応する凝縮液収集パンにそれぞれ収容されるように該蒸発機コイルを設置することができるように、前記蒸発機コイルを支持するとともに凝縮液を収集する装置は可撓性を有することを特徴とする請求項３記載の蒸発機モジュール。
【発明の詳細な説明】
技術分野
本発明は、空調機に関し、特に室内型空調機またはスプリット型空調機としての使用を容易にするモジュールを有する空調機に関する。
従来の技術
窓または壁の開口部に設置されるように設けられた空調機ユニットを製造することは、従来技術において周知である。また、“スプリット”型空調機と呼ばれる装置を提供することも従来技術において周知である。この装置では、分離された凝縮器ユニットが室外に取り付けられ、分離された蒸発機ユニットが凝縮器ユニットと運転可能に相互接続されて空調が施される部屋の内部壁に取り付けられる。
従来技術における典型的な室内型空調機が設計されると、室内型空調機としてのみ使用されるように設計されるので、その部材のためのツーリングは、室内型用に特化される。同様に、スプリット型空調機が製造されると、その部材及び関連するツーリングは、スプリット型用に特化される。
発明の開示
本発明によると、室内型空調機とスプリット型空調機とに関してできる限り多くの共通部材を使用する空調ユニットが設計される。両方のユニットの基本的なビルディングブロックは、共にモジュール式室内機領域とモジュール式室外機領域とである。空調機として組み立てられた時には、室内機及び室外機モジュールは共に共通の金属ベースパンに取り付けられる。これらの二つのモジュールの間には、冷媒配管、凝縮液排出路、及び電気配線が伸びている。室内型空調機として使用される場合には、室内機領域は、ウィンドウユニットに関する従来の方法で配置され、その空気吐出口は、ユニットの頂部近くに設けられる。ユニットスプリット型装置として設置される場合には、凝縮器モジュールは、従来のように室外に取り付けられる。室内機モジュールは、内部壁上に逆転、（即ち上下方向逆向き）されて取り付けられる設計となっている。スピリット型装置において一般的であるように、上記装置は、壁の高い位置に取り付けられて上記したように逆転されて取り付けられることによって空気流がユニットの低い部分から吐出可能となっている。
蒸発機モジュールは、第一及び第二の対向面を有するハウジングを含む。ハウジングの内部には、蒸発機コイルが運転可能に支持される。コイルは、ハウジングの第一及び第二の面から実質的に平行に伸びる第一及び第二の対向する面を有する。蒸発機のファン及びモータは、このハウジングの内部で運転可能に支持される。空気流制御装置が、ハウジングの内部に運転可能に設けられており、この制御装置は、ファンと協働して周囲の空気を蒸発機コイルを通るように導くとともに、この空気を冷却されるべき空間へと再度導く。ハウジング内の凝縮液収集装置は、蒸発機コイルと動作可能に設けられており、蒸発機コイルの第一の面が下向きに配置された場合でも、その第二の面が下向きに配置された場合でも、蒸発機コイルからの凝縮液を収集することができる。
【図面の簡単な説明】
本発明は、添付の図面によりより理解され、その目的及び効果についても添付の図面により、より明確とすることができる。
図１は、本発明の特徴を備えた実施例を示した室内用空調機の斜視図である。
図２は、図１の空調機をベースパンから取り外し、別体となった室内機と室外機とを示した図である。
図３は、図１の空調機から上記室外モジュールのカバーを取り去り、その室内モジュールの上部を一部切り欠いて示した上面立面図である。
図４は、上記フロントグリルを取り外した図１の空調機の正面立面図である。
図５は、室内モジュールの内部部品を示すために一部を切り欠いて示した上記室内機の正面平面図である。
図６は、図４に示した空調機の左側面図であり、断面にいくつかの部品が示されていると共に、その内部部品を示すためにそれ以外の部品を取去って示してある。
図７は、図６及び図７の拡大図である。
図８は、図７のファンとモータアタッチメントの別実施例を示した図である。
図９は、図８のライン９−９に沿った断面図である。
図１０は、図１の空調機ユニットの室内モジュールの多数の内側部品を取り去り、その室外モジュールからトップハウジングを取り去ったところを示した斜視図である。
図１１は、上記室内モジュールハウジングの前面立面図である。
図１２は、図１１のライン１２−１２に沿った断面図である。
図１３は、図１１のライン１３−１３に沿った断面図である。
図１４は、図１１のライン１４−１４に沿った断面図である。
図１５は、図１１のライン１５−１５に沿った断面図である。
図１６は、室内機ファンモータ及びそれに対応する取付構造体の簡略化した端面図である。
図１７は、図１６に示した室内機ファンモータ取付構造体の部分拡大図である。
図１８は、室内機ファンスクロールの斜視図である。
図１９は、上記室内機ファンスクロールの前面立面図である。
図２０は、図１９のライン２０−２０に沿った断面図である。
図２１は、図１９のライン２１−２１に沿った断面図である。
図２２は、上記室内機ファンスクロールの背面立面図である。
図２３は、図２２のライン２３−２３に沿った断面図である。
図２４は、上記スクロール容体の前面立面図である。
図２５は、図２４のライン２４−２４に沿った断面図である。
図２６は、図２４のライン２６−２６に沿った断面図である。
図２７は、上記室内モジュールのフロントグリルの背面立面図である。
図２８は、図２７のライン２８−２８に沿った断面図である。
図２９は、図２８のライン２９−２９に沿った断面図である。
図３０は、図２７のライン３０−３０に沿った断面図である。
図３１は、図３０のライン３１−３１に沿った断面図である。
図３２は、上記インドアグリルを上記空調機モジュールに取り付ける方法を示す上記室内モジュールの簡略化した一部平面図である。
図３３は、スナップインフィルタアッセンブリに配置された上記室内モジュールのフロントグリルの前面立面図である。
図３４は、図３３のライン３４−３４に沿った断面図である。
図３５は、図３５に示された図３４領域の拡大図である。
図３６は、上記スナップインフィルタの前面平面図である。
図３７は、図３６のフィルタ上面平面図である。
図３８は、図３６に示したフィルタの左側面図である。
図３９は、蒸発機ハウジングに予じめ位置決めされた制御ボックスを示した上記室内モジュールの右手側前面コーナの簡略化した平面図である。
図４０は、閉じる前の上記制御ボックスの側面断面図である。
図４１は、一部が組み立てられ、解放されている上記制御ボックスの半分を示した断面図である。
図４２は、上記制御ボックスの後部領域の背面斜視図である。
図４３は、完全に組み立てた制御ボックスの背面図である。
図４４は、制御ノブの正面図である。
図４５は、図４４のライン４５−４５に沿った図である。
図４６は、図４４のライン４６−４６に沿った図である。
図４７は、図４４の制御ノブの背面図である。
図４８は、上記制御ノブが取付られるシャフトの端面図である。
図４９は、図４８のシャフトの側面図である。
図５０は、上記室外モジュールの側壁を切り欠いて内部部品を示した図１の空調機の右側側面図である。
図５１は、上記室外モジュールの上側領域と下側領域を、互いに分解して互いに離間させることで内部部品を示した斜視図である。
図５２は、上記室外モジュールハウジングの上側領域及び下側領域を示した背面図である。
図５３は、図３のライン５３−５３に沿った上記室外モジュールの図である。
図５４は、いくつかの内部部品を取り去って、図３のライン５４−５４に沿って示した室外モジュールの図である。
図５５は、図５４に示した圧縮機取付構造体の拡大平面図である。
図５６は、図５５のライン５６−５６に沿った図である。
図５７は、上記室外機用ファンモータ取付クリップの側面図である。
図５８は、図５７のライン５８−５８に沿って示した断面図である。
図５９は、図５７のモータ取付クリップの正面平面図である。
図６０は、図５７のクリップの右手側ラッチの拡大断面図である。
図６１は、図３に示した室外機キャパシタ取付配置の拡大図である。
図６２は、図６１のライン６２−６２に沿った断面図である。
図６３は、上記室外機用キャパシタの取付配置を示した拡大斜視図である。
図６４は、図１の室内用空調機の取付配置を示した簡略化した斜視図である。
図６５は、本発明の分離システム型空調機の典型的取付を示した概略図である。
図６６は、図６５の室内ユニットの前面平面図である。
発明の最良の実施態様及び工業的応用性
図１を参照すると、本発明の空調機ユニット１０は、互いに取り付けられ、室内用空調機（“ＲＡＣ”）として用いられる金属ベースパン１６に取付られた室内モジュール１２と、室外モジュール１４と、を有している。本発明を説明して行くに当たって、上記室内モジュール１２及び上記室外モジュール１４は、僅かな変更はあるものの、図６５及び図６６に示すような分離型システムの空調機に用いる別々のモジュールとして製造することができる。これについてより詳細に後述する。
上記ＲＡＣユニットは、冷却したい室内の外側壁の矩形開口部に配置されるか、又はウインドウ用枠に位置決めできるようにされており、その室内モジュール１２は、従来のように室内に向けられている。上記室内モジュール１２は、空気を熱交換器１８へと送る（以後、“蒸発機コイル”と呼ぶ）冷凍機及び内側すなわち蒸発機ファン２０を有している。このシステムによって空気調和されるべき空間からの空気は、上記蒸発機２０の作用により、インドアグリル２４に形成されているインレットルーバ２２を通して上記室内モジュール１２へと導入され、概ね２６で示される調和空気吐出アッセンブリを通して上記室内モジュール１２から排出される前に、上記蒸発機コイル１８を通って空気が冷却される部分へと向けられている。
上記空調機ユニットの上記室外機１４は、調和するべき空気の空間の外側に配置されている。この室外モジュールは、図３、図１０、図５０において最も良く示されているように、空気熱交換器又はコイル２８（以後これを“コンデンサコイル２８”と呼ぶ）に送る室外冷凍機と、室外機ファン３０と、室外機ファンモータ３２と、圧縮機３４と、を有している。運転時には、周囲空気は、上記室外モジュール１４へと上記外側モジュールハウジングの上側領域３８と下側領域４０に位置決めされた多数のルーバ付き空気インレット３６を通して導入される。上記室外モジュールに導入される空気は、その後室外機ファン３０を通過して上記室外モジュールの内部へと導入され、上記室外機領域１４から上記室外モジュールの背面にある吐出ルーバ４２を通過して排出される前に、上記凝縮器コイル２８を通過するように向けられることになる。
図２は、互いに分離された室内モジュール１２及び室外モジュール１４を示している。図２及び図３〜図２６を参照して、上記室内モジュールの構成を詳細に説明する。上記室内モジュールのすべての部品は、室内ハウジング４４に取り付けられており、この室内ハウジング４４は、図１１、１２、１３では、これに取り付けられる部品を取り去った所が示されている。上記室内ハウジングは、ポリプロピレンと言ったポリマー材料から成形された一体型部品とされている。上記ハウジング４４は、後部壁４６と、頂部壁４８と、底部壁５０と、左手側壁５２と、右手側壁５４と、をそれぞれ有する概ね矩形の容体となっている。このハウジングには、上記室内モジュール１２の種々の部品のための一体型成形された多くの構造取付部が設けられている。別の一体成形された部品が、別の部品のためのガイド及び支持構造体として備えられている。これらの構造体をそれぞれ構造体として表現するが、これらは、取付け体又は支持体と協動するようにされている。
上記室内ハウジング４４に取付られる第一の部品は、室内ファンスクロール５６であり、図１８において単独に、より詳細には図１９〜図２３において示されている。このファンスクロールは、図３、図４、図６では上記室内ハウジング４４内に取付られているところが示されている。上記室内ファンスクロール５６は、膨張したポリスチレンフォームから形成された単一体とされていることが好ましい。このファンスクロール５６は、開いた前部と、閉じた後部壁６０を有する下側ボディ領域５８を有しており、この後部壁６０は開口部６２を有している。この開口部６２は、上記室内ハウジングの上記後部壁４６から前方に向かって延びた円筒状の壁６４を収容するようになっていて、その自由となった端部には上記蒸発機ファン２０のためのモータ６８を支持する構造体が設けられている。
上記スクロール５６には、その下側の右手側コーナに通孔７０が設けられており、この通孔は、図１１、１２に最も良く見られるように室内用ハウジングの後部壁４６に成形されている延びた中空チューブ７２に適合するようにされている。上記チューブ７２は、上記スクロールを位置決めするばかりではなく、上記空調機の凝縮物の排出システムともなっていることが理解されよう。第２の位置決め用開口部７４は、上記スクロールの上側後部壁７６に設けられている。この開口部７４は、先止まりの開口部であり、図１３において最も良く見られるように、室内ハウジングの後部壁４６に成形された位置決めピン７８を収容するようにされている。したがって、上記スクロール５６は、その後部壁の上記開口部６０と軸方向に整列させつつ上記室内用ハウジング４４へと組み付けられ、上記凝縮物のドレンチューブ７２及び位置決めピン７８は、それらの上述した対となる構造体と整列され、図６に示されているようにその最終的な位置へと簡単にスライドさせることができることになる。
上記スクロールの上側領域８２の左手側側部上の持ち上げられた部分８０といった別のスクロール位置決め面及び上記上側領域の右手側の面８４は、上記室内ハウジングの固定面に係合するようにされていて、さらに位置決め及び支持を容易としている。上記スクロールの上記上側領域８２は、図４に明確に示されているように上記室内用ファンが取付られる下側の部分５８と連通しており、調和空気のための空気吐出プレナムとなっていることが明瞭に示されている。図４、図１８〜図２０を参照すると、中間壁部分８６は、さらに上記上側吐出領域８２から上記スクロール５８の下側部分を規定し、これを分離させている。この硬い壁領域は、その内部に延長された弧状の開口部８８が設けられている。この開口部は、上記スクロール容体要素９０の上側端部９２の背面に設けられた対となる構造体と係合するが、これについてはより詳細に後述する。
上記スクロール５６の取付の後、上記蒸発機ファンモータ６８の及び上記蒸発機ファン２０のサブアッセンブリは、上記室内用ファン支持体延長部６４によって保持された取付構造体６６へと組付けられる。図６及び図７を参照すると、上記室内機用ファンモータは、その一端から突出した駆動シャフト９４を有する実質的に円筒形の電気モータを有している。上記モータ駆動シャフトは、その一端に形成された平坦部９６と、ショルダ部９８を有しており、このショルダ部９８から径が小さくされたネジの設けられた部分１００が延ばされている。
上記蒸発機ファン２０は、図６に最も良く示されているように周辺部の周りに位置決めされた長手方向に延長した複数のブレード１０２を備えた遠心ファンである。上記ファンのインレットは、大きな円形開口部であり、この開口部は、上記蒸発機コイル１８と空気流を連通させるような関係とされている。上記ファンの背面は、円錐形のパーティション１０４によって閉塞されており、これは、実質的にカップ形状の空間１０６を、上記ファンの背後に形成させている。図６に最も良く示されているように、上記パーティション１０４は、多数の直線的に延びた領域によって画定されており、これらの領域は、カップ状空間１０６を規定していて、この空間は上記ファンの背後１０８から上記ファンのインレット端部１１０にまで実質的に軸方向に延長されている。
軸方向に延長された開口部１１２は、上記パーティション壁１０４を通して上記ファンのセンタライン上に設けられている。上記開口部１１２は、平坦部１１４を有していて、上記モータ駆動シャフト９４を収容するようにされており、また平坦部９６が形成されて上記モータ駆動シャフト上の上記ショルダ９８が上記ファン取付用開口部１１２内の対となるショルダ１１６と係合するようにされている。図７に記載されているように、上記モータ駆動シャフト９４のネジの設けられた延長部１００は、上記開口部を通じて延ばされていると共に、ネジの設けられたナット１１８に螺合して、上記モータ駆動シャフト９４を上記ファン２０へと取り付けるようになっている。
図７、図８、図９に最も良く示されているように、径方向に延びた複数の反発性のウェッブ１２０は、上記ファンを取付る開口部１１２を画定している構造体から、上記パーティション壁１０４へと延びている。図８及び図９は、上記ファン／ファンモータ取付構造の別実施例を示している。参照符号１２２は、ワッシャ様要素に付されているが、この要素は、通孔１２４を有しており、この通孔１２４は、平坦部９６が形成された上記モータ駆動シャフト９４を収容できる断面積を有している。脚部１２６は、上記ワッシャ１２２に設けられていて、この脚部は、図９に示された２つの互いに隣接した反発性のリブ１２０の間に延長されるようなサイズとされている。この配置は、上記モータ駆動シャフト９４と上記蒸発機ファン２０の間の順方向回転を確実に駆動させるようになっている。
図６をさらに参照すると、上記蒸発機ファンモータ６８のハウジング幅及び上記カップ上空間１０６の軸方向及び径方向の寸法は、上記モータが上述したように上記蒸発機ファンに取付られた場合に、上記モータハウジングの軸方向長さの実質的部分が、上記カップ状空間に収容され、上記蒸発機モータ６８及び蒸発機ファン２０サブアッセンブリが軸方向に最低の長さとなるようにされる。これは、上記ファン部分１０４を上記モータを収容するカップ形状の空間１０６が、上記インレット及びアウトレット方上記ファンブレード１０２を通して蒸発機ファンの上記遠心力による空気流を実質的に損なわないようにして行われる。図面にも示してあるように、上記蒸発機ファンモータ６８のハウジングの軸方向長さの７５％以上は、上記カップ形状の空間１０６に収容されている。
図６、図１１〜図１４、図１６、図１７を参照すると、前述した上記蒸発機ファン２０／蒸発機ファンモータ６８サブアッセンブリの室内機用ファン取付構造体６６が示されている。まず図１６を見ると、上記蒸発機ファンモータの上記ハウジング６８の簡略化された端面図には、周辺部に延びたフランジ１２８を備えているのが示されている。このフランジ１２８は、４つの径方向外側に延び、均等に離間したラグ(lug)１３０を有している。上記フランジ１２８及びそれに設けられたラグ１３０は、構造材料から形成されており、上記ラグそれぞれには、外側カバーすなわちスリーブ１３２が設けられている。上記ラグカバー１３２は、弾性材料から構成されていることが好ましく、図１７にも詳細に示されているように実質的に上記ラグの厚さ部分を有していることが好ましい。好ましい実施例では、上記ラグカバー１３２は、連続したゴム部品から形成されており、その一部が図１６に示されている。このように形成されたゴム部品は、単一の小として形成され、上記モータの周辺部に延びていると共に上記フランジ１２８それぞれに係合している。
上記弾性体カバー１３２を配置すると、上記蒸発機ファンモータ６８のハウジングは、上記室内機用ファン支持体延長部６４によって画定されている開口部を通され、上記４つのラグ１３０は、上記取付構造体６６に形成されている収容用開口部１３４に整列されるようになっている。上記ラグ１３０は、上記開口部１３４を通されて、後部壁１３６へと係合する。この点において、上記モータファンアッセンブリは、反時計回りに回転されて、上記ラグ１３０及びそれに被せられているカバー１３２は、外側壁の下側に変位されるが、これは図１７に最も良く示されている。上記アッセンブリを回転させ続けると、上記ラグ１３０の上記外側カバー１３２がストップ壁１４０に係合するようになるがこれが図１４に最も良く示されている。背後壁１３６によって画定される構造体と上記ラグ１３０及びラグカバー１３２との係合により、外側壁１３８と上記ストップ壁１４０は、これら以外の締結具の必要無しに所望する位置に上記蒸発機モータを順方向運転を行わせるように保持させている。上記弾性体ラグカバー１３２の厚さは、その取付構造体の一部を形成する他にも、騒音及び振動を分離するための取付具となっている。
上記蒸発機ファン／モータサブアッセンブリの上記ハウジング４４への組立に続いて、前述したスクロール容体９０及び上記蒸発機コイル１８のサブアッセンブリは、上記室内機ハウジング４４へと組立及び取付られる。上記スクロール容体９０は、詳細には図２４〜図２６に示されており、大きな開口部１４４が形成された実質的に平面の壁領域１４２を有している。この開口部１４４は、図２６に最も良く示されているように背後に延びた環状の壁部分１４６を備えていて、この壁部分は、上記ハウジング４４が装着された場合には、上記蒸発機ファンの前部、すなわちインレット端部１１０を収容し、上記蒸発機コイル１８から上記ファンのインレットへと流路を画定するようになっている。
上記スクロールには、矩形の前方に延びた延長部１４８と１５８とがその上側端部及び下側端部にそれぞれ設けられている。上記延長部１４８、１５０には、その端部に外周壁延長部１５２，１５４が設けられており、これらはそれぞれ上側及び下側において延ばされている。図６を参照すると、これらの延長部及びそれらに対応した周辺壁領域は、それらの間に上記蒸発機コイルを収容し、保持するようになっている。特に、上記上側延長部１４８と下側延長部１５０とそれらに対応した壁１５２，１５４は、それぞれこれらの領域が図６に示した取付位置において上記蒸発機コイルを収容するようにさせるために、それぞれ上側及び下側に対してフレキシビリティーを有するようにされている。図４及び図２４を参照すると、上記スクロール容体９０は、垂直に延びた左手側壁１５６と垂直に延びた右手側壁１５８とを有していて、これらは、上記蒸発機コイルの左手側端部及び右手側端部１６０，１６２に係合されて、さらに上記スクロール容体９０内に上記蒸発機を保持させるようになっている。
上記スクロール容体９０及び蒸発機コイル１８のサブアッセンブリは、そこから延ばされたいくつかの冷凍チューブ及びキャピラリを有しているが、これらは、図３、図４、図５に概ね示された符号１６４により示されている。これらのチューブの自由端は、上記室内機用ハウジング４４の後部壁４６に設けられた開口部１６６を通されている。
上記開口部１６６に上記チューブ１６４が通された後、上記スクロール容体／蒸発機コイルアッセンブリの組立は、上記スクロール容体の垂直に延びた右手側壁１５８と、対となったＬ形状のフックとが係合することによって行われる。この様にして係合させた後、上記アッセンブリの左手側側部は、上記室内機ハウジング４４に向かって回転されて、上記スクロール容体上の外側に向かって外側に延びた垂直壁１７０が、図４、図１０、図１１に示された対となったフレキシブルラッチ１７２に収容され、上記スクロール容体と蒸発機コイルを所望する運転位置へと構造的に保持できるようになっている。
バックアップ、すなわちオプションの取付配置としては、開口部１７４を上記室内用ハウジング４４にそれぞれフレキシブルラッチ１７２に隣接させて設けることができる。これらの開口部は、図２４に示されているように、上記スクロール容体９０の左手側壁１７０内の対となった開口部１７６に軸方向に配列するようにされている。ネジの設けられた締結具１７７は、図４に示されているように上記フレキシブルプラスチックラッチ１７２が、例えば運転中に破損した場合に用いられる。オプションのスクリューアタッチメント配置は、また上記スクロールハウジングの右手側側部に設けられている。これは、図５及び図１１に最も良く示されていて、上記室内用ハウジング４４からの延長部１７６が、上記蒸発機コイルの右手側チューブシート１７８と係合するように突き合うようになっている。ネジの設けられた締結具１８０は、上記蒸発機コイルに設けられた開口部内にまでその延長部を挿通されるようになっているのが示されている。
図３９〜図４３を参照すると、制御ボックス１８２は、上記ユニット制御スイッチ１８４とサーモスタット１８６とを収容するように設けられており、蒸発機モータ１８８が詳細に示されている。図から理解されるように、上記制御ボックス１８２は、２つの成形されたプラスチック部品から形成されており、これらは、互いにスナップ結合し、上記室内用ハウジング４４の右手上側コーナにスナップ止めされるようになっていることが理解されよう。
上記制御ボックスの前部領域１９０は、実質的に平坦な前部壁１９２を有しており、これには対となった通孔が設けられていて上記制御スイッチ１８４の制御シャフト及びサーモスタットのシャフトを挿通して収容するようにされている。上記スイッチ１８４及びサーモスタット１８６は、上記前部壁１９２の内側１９６上において、好適な成形プラスチックマウンティングに取り付けられている。
上記フロント壁１９２から後ろ側に延びているのは、頂部壁１９８と、底部壁２００と、左側壁２０２と、右側壁２０４であり、これらは協動して上記前部領域１９０の後方に面したスカート要素を画成している。上記頂部壁１９８には、対となった前方に面したフック形状の要素２０６が設けられている。上記底部壁２００には、横切るようにして延びている横断方向延長突出部２０８を備えたランプ状の溝２０８が内部に設けられている。この溝２０８は、底部壁の後部端２１０から外側に向かってテーパが付けられており、前方に向いた保持面２１２を形成している。
上記制御ボックスの後部領域２１４はまた、実質的に平坦な後部壁２１６と、頂部壁２１８と、底部壁２２０と、左側壁２２２と、右側壁２２４とをそれぞれ有していて、前方に向いたスカート要素を画定している。上記頂部壁２１８の前方端部には、実質的に円筒状の対となった自由に横方向に延びた要素２２６が設けられており、上記前部領域１９０に設けられた上記フック２０６と枢軸結合するようにされている。横切る方向に延びた要素２２６は、図４２に最も良く示されているように、上記後部領域２１４の頂部２１８に一体成形され、それぞれ対となった平行な支持要素２２８によって支持されている。図４０及び図４１に最も良く示されているように、上記後部領域の底部壁２２０には、後方に延びたフレキシブルラッチ機構２３０が設けられている。上記ラッチは、後方に向いた面２３４を規定し、横切る方向に延びた領域２３２を有していて、この面２３４は、上記フロント領域１９０の底部壁によって保持され、前方に向いた面２１２が取り付けられている。
図４０及び図４１を参照すると、円筒形のプラスチック蒸発機用ファンモータキャパシタ２３６は、上記頂部壁の内側及び上記後部領域２１４の内側のフレキシブルラッチ２３８に係合されてスナップ連結によって保持されている。すべての内側連結が示されているわけではないが、多数の個別の２４０で示されている電気ワイヤは、通常は上記制御ボックス１８２内に挿通され、電力供給ライン２４２は、該ボックス内に必ず挿通されることが理解されよう。図４２及び図４３を参照して、単一の水平に延びた開口部２４４は、上記ワイヤ２４０及び２４２のすべてが通るように上記後部領域２１４の後部壁に設けられている。上記開口部２４４は、細く、延長された領域２４６を有しており、複数のより細いワイヤ２４０が連なって配列されていると共に、支持されている。拡大された領域２４８は、上記開口部２４４の一端に設けられていて、電力コード２４２を収容するようになっている。
上記ワイヤ２４０のほとんどの両端には、迅速着脱自在のカップリング２５０が設けられている。これらのワイヤの上記制御ボックス組付け及び上記開口部２４４を通してこれらのワイヤを通すことは、上述の配列によって容易にされている。特に、個々のワイヤは、まず上記開口部２４４の拡大領域２４８を通され、その後細い領域２４６内に引き込まれるようになっている。すべての細いワイヤ２４０が装着された後に、太い電源ライン２４２が上記開口部の上記拡大領域２４８を通される。この電源ライン２４２は、従来のものであり、３本の別々のワイヤを有しており、それぞれのワイヤには、参照符号２５２が付されている。図４０及び図４２を参照すると、上記ワイヤ２５２の一本だけが上記ハウジング内の制御スイッチに連結される。電源コードの残りの２本のワイヤ２５２は、２５４で示されるようにして反転され、上記拡大領域２４８の上記電源コードの上側の頂部領域２５６を通して上記迅速着脱カップリング２５０が設けられ、上記空調機ユニット１０の適切なワイヤに取り付けられるような位置まで通される。
この様にしてすべてのワイヤリングが装着されると、上記制御ボックス１８２の前部領域１９０は、容易に上記後部領域２１４へと、図４０に示されるような上記後部領域によって保持される対となる横方向要素２２６と、上記前部領域により保持されている上記２つのフック２０６と接続される。このように接続されると、上記前部領域１９０は、下側、かつ後方に枢軸回転されて、上記ランプ２０８によって保持されている前方に向いた面２１２と、上記後部領域２１４の底部壁に形成されたフレキシブルラッチ２３０によって上記フレキシブルラッチ２３０の横方向領域２３２によって保持され、後方に向いた領域２３４が係合される。
図４２及び図４３を参照すると、上記電源コード２４２のための歪み解放構造体は、上記制御ボックス１８２の後部領域２１４の後部壁２１６に直接成形されている。この構造は、上記開口部２４４の上に位置した狭い開口部通路２５８を有しており、この狭い開口部通路は、下側壁領域２６０及び上側壁領域２６２を画定している。上記開口部２４４の下側において、互いに反対側にある開口部から離間して配置されているのは、図４２及び図４３に見られるように左手側及び右手側にある対となったフック状構造体２６４及び２６６である。上記左手側フック２６４は、電源コード収容空間を画定し、右手側において開口部端部を有していると共に、上記右手側フック２６６は、電源コード収容空間を画定していて、左手側において開口部端部を有している。フック２６４及び２６６によって画定される各電源コード収容空間は、上記電源コード２４２の太さよりも僅かに太い高さを有している。各フック２６４と２６６には、その外側端において下側に延びた突出２６８が設けられている。同様にして、上記上部壁２６２の内側には、互いに離間し、下側に延在する電源コード連結延長部２７０が設けられている。
図４３は、曲がりくねった経路を示しており、この経路には、上記電源コードが上記歪み解放構造体に係合しつつ通されている。特に、上記電源コードが、上記開口部２４４の拡大された領域２４８から出て行くにつれ、方向２７２とは反対に曲げられて、上記右手側フック２６６の下側の空間を通されるようになっている。その後、向きが９０°変えられ、上記壁２６０と２６２によって規定された細い通路２５８を通されるようになっている。上記通路２５８を通過すると、さらに異なった方向に９０°方向に曲げられ、上記左手側フック２６４によって規定された空間を通されている。どのようにして上記フック２６４及び２６５上の突出２６８及び上記上部壁２６２上の上記突出２７０が、それぞれの空間内に上記電源コードを保持させているのかについては、図面の記載から明らかであろう。この様にして取付られると、上記電源コード２４２に対しアンダーライターズラボラトリーズ（登録商標）プルテスト（Underwriter's Laboratories Pull Test）を行ったところ、このテストの規格を通過するだけの上記コードと上述の上記曲がりくねった経路の間の充分な抵抗が生じていた。
図３９〜図４３を続けて参照すると、上記制御ボックス１８２の上記前部領域１９０の上記右側壁２０４は、その横方向に延長部２７２を有し、この横方向延長部は、上側に向いた面２７４と下側に向いた面２７６を規定している。この下側に延びた面２７６から延びているのは、実質的に垂直に延び、一体とされた成形ピン２７８である。上記ピン２７８と軸方向に整列された第２のピン２８０は、上記上側に向いた面２７４上に取付られている。上記ピン２８０は、フレキシブルアーム２８２に取付られており、このアーム２８２は、上記面２７４の前面に取付られ、上側及び後方に延びて、上記上側ピン２８０を上記面２７４から離間した空間２８４として示されている位置で支持している。この構造体は、図面からわかるように上記フレキシブルアーム２８２及びその上側に保持されている上記ピン２８０が、その通常の位置から下側に向かってフレキシブルとさせている。上記フロント領域１９０の上記左手側壁２０２には、後ろ側に延在したフレキシブルラッチ２８６が備えられており、さらにその上に設けられ、垂直に延びた前方に向いたラッチ面２８８を有している。上記ラッチは、右側に押すと曲がるようにされている。
上記制御ボックス１８２は、このようにして組み立てられ、図１０に示されているように、上記室内用ハウジング４４の右手上側コーナに設けられた対となる構造体に直接取付られるようになっている。この対となる構造体は、図１０〜図１３に示されており、上記右手上側コーナ内の上記室内ハウジング４４と一体成形されている。これらのアームは、互いに垂直に離間しており、それらの外側端には開口部２９２が設けられていて上記制御ボックス上の上記ピン２７８及び２８０に係合するようになっている。
したがって、上記制御ボックスの取付は、下側に延びたピン２７８と上記下側取付アーム２９０の上記開口部２９２とを係合させることによって行われる。上記フレキシブルアーム２８２は、上記上側ピン２８０を支持していて、下側に向かって曲げられることで上記上側ピン２８０が上記上側制御ボックス取付アーム２９０の上記開口部２９２に連結されるようになっている。この様にして組立られた上記ボックスは、図３９に示されている。上記制御ボックスの上記室内ハウジング４４への組付けは、その後上記制御ボックスを枢軸取付体無しに、上記ラッチ２８６及び前方に向かった面２８８が、図１１に示されるように上記室内ハウジング４４に設けられ、垂直方向に延在したラッチ面２９４にスナップ連結されるまで枢軸回転させることによって行われる。制御用ノブ２９６は、その制御スイッチ１８４及び上記サーモスタット１８６のシャフト２９８に組付られて、組付けが終了する。上記制御用ノブは、別の内側構造体無しに単一の部材として上記制御シャフトに組み付けられていると共に、より詳細には後述するように上記シャフトの順方向運転をさせる取付体を支持している。
上記室内モジュール１２のフロントグリル２４には、図３６〜図３８に示されるように室内用フィルタユニット３４８が設けられている。上記インドアグリル２４及びその上記室内ハウジング４４への取付は、まず上記フィルタユニット３４８の詳細な説明を行った後に、上記フロントグリルへと取り付けられるのを説明する。図２７から図３１を参照すると、上記フロントグリル２４は、実質的に平坦なフロント領域３０２を有しており、このフロント領域３０２は、インレットルーバ２２と開口部３０４とを有しており、この開口部３０４に上記室内用空気吐出アッセンブリ２６が取付られている。上記フロント領域３０２は、また実質的に矩形の開口部３０６を有しており、この開口部３０６は、上記グリル２４が上記空調機ユニットに取付られる場合には、上記制御ボックスアッセンブリ１８２を内部に収容するようになっている。
上記平坦なフロント３０２から延長されているのは、それぞれ頂部壁３０８と、底部壁３１０と、左手側壁３１２と、右手側壁３１４である。この頂部壁と、底部壁と、左右の壁は、協動して一体として形成されたシャート(shirt)要素を画定していると共に、上記グリル２４の上記平坦なフロント３０２から後方に延ばされている。図２７は、上記インレットグリル２４の背面を示している。左手側及び右手側の基準は、図１のように上記空調機ユニット及びグリル２４が前面から見えるように取られており、したがって左右の基準は、図２７から図３１では逆転している。
図２８を参照すると、上記グリル２４の右側壁の内側壁３１６が示されている。この壁に一体形成されているのは、対となった横断方向に延び、持ち上げられた構造体３１８であり、これらの構造体３１８は、前方に向いた平坦面３２０を規定している。
図３０及び図３１を参照すると、上記左手側の壁３１２の内側壁３２には、横方向に延びたラッチ係合構造体が設けられている。このラッチ構造体３２４は、前方に向いた平坦なラッチ面３２８を規定している。
上記フロントグリル２４は、上記室内用ハウジング４４に設けられた対となる構造体に直接取付られるようにされている。図１０、図１１、図１２を参照して、上記室内用ハウジング４４の上記右側壁５４には、一体成形され、対となって互いに離間したグリル取付延長部３３０が設けられている。各延長部は、上記壁５４の内側前方に延びており、長手方向に延びた開口部３３２を有している。この長手方向に延びた開口部３３２は、上記グリルの右手側壁上の持ち上げられた構造体３１８に適合するようにされていて、前方に向いた壁３２０は、溝３３２が形成された対応する面と互いに突き合うような関係で係合されている。
上記グリルの左側壁３１２上のラッチ構造体３２４は、上記室内用ハウジング４４の上記左手側壁５２の内側に形成されたラッチ機構３３４を収容するように適合されている。上記ラッチ機構３３４は、図１１、図１２、及び図１５に最も良く示されている。上記ラッチ３３４は、上記ハウジング４４と一体形成されたフレキシブルアーム３３６を有している。このアーム３３６は、固定位置３３８から延びていて、外側端が後部に面したラッチ面３４０にまで延びている。このラッチ面３４０は、後方に向いた面を備えている。上記ラッチ面３４０は、上記グリルが取り付けられた場合に、上記グリル２４の左手側面に形成され、前方に向いた面３２８に係合するようにされている。上記ラッチは、傾斜した面３４２を有しており、この傾斜した面３４２は、上記グリル２４と上記ハウジング４４との係合を容易にするようにしていて、上記グリルと上記ハウジングとが運転できるように係合させるべく上記ラッチを反発させるようにしている。
上記インドアグリル２４の上記ハウジング４４への取付は、図３２のように上記インドアグリルを配列することによって行われる。図示されているように、上記グリルの右手側壁上に形成された２つの持ち上げられた構造体３８は、対となる開口部３３２と取付用延長部３３０に係合するようにされる。この係合により、枢軸点が与えられ、この枢軸点は、上記グリルの上記右手側部を固定し、ここを中心として上記左側側部を上記室内ハウジング４４に向かって移動させるようになっている。上記グリルの上記左手側部の上記ハウジングへの連続した運動により、上記ラッチ構造体３２４と上記傾斜した面３４２とが係合し、このことによって上記グリルが上記ラッチ３３４の端部３３８が前方に向いた壁３２８に順方向に係合する所望する取付位置へと後方に運動するまで、上記フレキシブルアームを内側に反発させ、上記ハウジング４４へと上記フロントグリル２４を順方向から取り付けるようにさせている。
図１５を参照して、上記グリルの上記ハウジングからの除去は、小工具（図示せず）を、上記フレキシブルアーム３３６に隣接したハウジング４４の左側壁５２に設けられている開口部３４４に挿通させるように挿入する。上記工具に力を加え上記フレキシブルアームを内側に曲げて、上記ラッチ機構３３４を解放させる。上記フレキシブルラッチアームが破損してしまうのを防止するために、一体となったストップ面３４６は、上記ラッチの背後の上記ハウジング４４に一体成形されている。上記フレキシブルアーム３３６は、それが破壊されるポイントに達する前に上記ストップ面３４６に係合するようにされていて、上記グリルの取り外しの際の予期せぬ破壊を防止するようになっている。
図３３〜図３８を参照すると、フィルタアッセンブリ３４８は、上記蒸発機コイル１８を通過する以前に上記室内用グリル２４内のインレット用開口部２２を通過する室内空気のための上記フィルタに設けられている。上記フィルタは、実質的に矩形のフレーム３５０を有しており、このフレームは、局面状となったグリッド形状の領域３５２を形成している。上記フィルタフレーム３５０の頂部は、水平に延び、前方を向いた壁３５４を画成しており、この壁３５４には、対となったマニュアルで取外し可能なスナップフィットラッチコンファメーション(confirmation)３５６がその対向する両側に設けられている。上記フィルタフレーム３５０は、充填されていない共重合ポリプロピレンから形成されていることが好ましい。フィルタスクリーン材料３５８が重ね合わされていると共に、上記グリッド３５２を形成する領域に一体として取り付けられている。上記スクリーンは、ポリプロピレン材料であることが好ましく、真空及び／又は洗浄により洗浄化できるようにされているので、上記ユニットの寿命中は再利用することができるようにされている。
上記フィルタ３４８は、上記インレットルーバ２２の上端部において、上記フロントインレットグリル２４に設けられた水平に延びた開口部３６０内に収容されるようにされている。図３４に最も良好に見られるように、上記フィルタは、上記スロット３６０に挿入できるようにされていて、その外側に向かって曲がった側３６２が上記ユニット１０の背面を向くようにされている。上記フィルタは、上記スロットを通して挿入されると、その背面側３６２は、直接上記蒸発機コイル１８に対向してスライドし、上記ユニットは、上記グリル２４の内側壁から延びた側壁３６４によって横方向にガイドされるようになっている。上記側壁は、図２７に示されている。完全に挿入されると、上記フィルタは完全に上記蒸発機コイルに覆い被さり、上記壁３５４は、上記開口部を被覆し、上記グリル２４の前面の一部を構成する。
装着されると、上記ラッチ機構３５６は、上記水平スロット３６０の下側端部上の対となる構造体に係合するが、これについて以下に説明する。上記スクリーン３５６上の上記ラッチ機構は、それぞれ上記フィルタフレーム３５０に一体形成された上向き、かつ前方に延長されたフレキシブルラッチ３６６を有している。上記ラッチの自由端３６８は、上記水平スロット３６０の下側壁３７２に形成された小さな水平延長スロット３７０に係合するようにされている。それぞれのラッチ３６６に隣接した上記フィルタ壁３５４と半円形の溝３７４及びこれと対となるアーチ型溝３７６は、上記水平スロット３７０に隣接した上記壁３７２に設けられている。
したがって、上記フィルタが上述の上記空調機に装着されると、上記フィルタ内の上記フレキシブルラッチ３６６は、後方に曲げられるので、上記ラッチ３６８の自由端は、上記スロットの下側壁３７２内の水平スロット３７０に係合する。これによって、上記フィルタは運転位置へと順方向に保持される。清掃のために上記フィルタを除去することが望ましい場合には、上記ラッチの自由端３６８は、アーチ型溝３７４及び３７６が設けられている結果、マニュアルで上記水平スロット３６０からこれらを解放させるように圧迫することができ、容易にアクセスすることが可能となる。同時に、上記アーチ型溝３７４は、上記スロットから上記フィルタ３４８をマニュアルで除去するためのグリップとなる。図３７を参照して、上記フィルタフレーム３５０の頂部壁３５４は、非対称とされているのがわかる。この様にすることによって、上記頂部前部壁が上記グリルのフロント壁の形状とされて、上記スロットを被覆し、上記グリル２４の曲がった前部壁の左手側部へと変位されるようになっている。
上記制御ボックス１８２の説明に関連して概略を説明したが、上記ノブ２９６は、上記制御スイッチ１８４と１８６のシャフト２２８上に、別のインサート等を用いずとも係合するように成形され、それらの対応したシャフト２２８と係合して順方向の連結を容易にさせている。好ましい実施例では、上記制御用ノブ２９６は、ＡＢＳプラスチック材料製であることが好ましい。
図４４〜図４９を参照すると、上記ノブは丸く、かつ対となった平坦な領域３７７を有しており、これらの平坦領域は、その外側側部の外側に延長された大きなコンフォメーション３７８によって分離されており、上記ノブをマニュアルで回転させることができるように把持できるようになっている。このコンフォメーションは、一端の３８０では大きな寸法で延びており、その中央領域３８において寸法が小さくなるようにテーパが付けられ、その反対側の端部３８４では再度大きな寸法となるようにされている。このコンフォメーションは、外側壁３８６と、対となったアーチ型形状の側壁と、を有しており、これらの側壁は、上記外側壁３８６から平坦な領域３７７のうちの一方にまで延ばされている。
上記ノブ２９６の背後には、大きな溝３９０が設けられており、この大きな溝は、実質的に上記ノブの上側上において外側に向かって延びたコンフォメーション３９２の形状となっている。特に、上記溝は、下側壁３９２を有しており、この下側壁は、上記外側壁３８６及び曲がった側壁３９４の反対側にあり、これらは、上記コンフォメーション３７８の曲がった側の壁３８８の内側壁となっている。上記溝３９０の中心に位置決めされているのは、シャフト収容構造体３９６であり、このシャフト収容構造体は、Ｄ−形状の開口部３９８を画定している。上記シャフト収容構造体３９６及びその内部のＤ−形状開口部３９８は、垂直に延びたスロット４００によって２つの離間した領域に互いに分離されている。上記シャフト収容構造体の各分離領域は、参照符号４０２によって示されているように上記曲がった側壁３９４に一体として形成されている。
図４５、図４６、図４７を参照して、上記Ｄ−形状開口部３９８は、負のドラフト角に成形されていることに留意されたい。この様にすることで、その外側端４０４における上記開口部の断面積をその下側端における断面積４０６よりも小さくすることができる。上記上部端での上記開口部４０４の寸法は、図４８及び図４９で示される上記シャフトのテーパの付けられた端部４０８が、ちょうど収容されるようにされている。
上記曲がった壁３８８／３９４の厚さは、上記シャフト２２８が上記Ｄ−形状開口部の上部端に挿入され、シャフト領域４１０の全径が挿通された場合に、上記Ｄ−形状開口部の上記２つの分離領域及び４０２において一体として取り付けられる上記アーチ型壁領域３８８／３９４が、外側に向かって曲がるようにしている。このようにすることで、上記開口部２９８の断面積が増加でき、したがって上記シャフトを完全に挿入することが可能となる。この結果、一旦ノブが上記シャフトに挿入されると、上記壁３８８／３９４及び上記Ｄ−形状開口部の分離領域は、それらの変形されていない状態に戻ろうとし、この結果上記シャフト２２８の全径部分４１０に堅固に連結されることになる。
上側に延びたストップ４１２は、上記溝３９０の下側壁３９２上に成形されていて、上記シャフトが所望する位置へと侵入して行くように規制しているのが理解されよう。さらに、上記曲がった壁３８８／３９４の厚さ及びこれらの壁が取り付けられる上記片端部３７７の厚さは、上述したような所望する柔軟性を得るために極めて重要であることが理解されよう。上述した厚さを選択することは、当業者に理解される範囲のものであり用いる材料、上記シャフトの寸法及びこれら以外の条件に応じて変化させることができる。
上記室外モジュール１４は、図２において概略説明を行ったが、以下に詳細に説明を行う。図５１及び図５２は、上記室外モジュールハウジングの上側領域３８と下側領域４０とをより詳細に示している。上記各領域は、好適な構造用プラスチック材料から単一部品として成形されている。
図３、図１０、図５０、図５４〜図５６に示されているように、上記圧縮機３４の取付構造体は、上記室外ハウジングの下側部分４０の下側壁４１４に直接一体成形されている。上記圧縮機３４には、三角形の取付プレート４１６が設けられている。この取付プレート４１６は、その３つのコーナそれぞれに開口部を有していて、本発明の上記取付構造体を通して上記下側壁４１４への取付を容易としている。３つの実質的に同一の取付構造体４２０が設けられており、そのうちの一つが、上記プレートの開口部それぞれに対応している。これらの３つのうち、１つだけを詳細に説明する。しかしながら、本発明の重要な特徴によれば、上記取付構造体の別の２つに対する各配置は、本発明の上では重要である。各マウンティング構造体４２０は、持ち上げられた楕円形の形状部分４２２を有しており、この内部に垂直に延びた圧縮機取付スタッド４２４が成形されている。スタッド４２４には、垂直に延びたアーチ型突起４２６が対として設けられている。このアーチ型突出４２６は、それらの対応したスタッド４２４から、上記２つの隣接したスタッドに向かって、それぞれが少なくとも対応したスタッド４２４と上記隣接した２つのスタッドの間において、対となったライン４２８によって画定される角度だけ広がりつつ、離間するように位置決めされている。上記アーチ型領域４２６の高さは、上記スタッド４２４の高さよりも小さくされている。
上記圧縮機と上記取付プレートの装着は、まず、弾性体のアイソレータブッシング４３０を、図５６に示されているように上記圧縮機取付プレート４１６に設けられた３つの開口部４１８それぞれに組付けることによって行われる。上記取付プレート４１６は、その上に上記圧縮機が取り付けられ、その後上記弾性体ブッシング４３０それぞれに設けられ、軸方向に整列された開口部４３２を通して延びた一体として形成されたスタッド４２４により設置される。上記弾性体ブッシングの径は、上記スタッド４２４が収容された場合には、各ブッシングの外周４３４が、上記ブッシングが連結される上記スタッドに対応した上記アーチ型壁４２６の内側面に密接に接触するようにされている。
単一の「フェンダ」ワッシャ４３６は、その後開口部４３８に上記ブッシングの上側に中心開口部それぞれを整列させるようにして配置される。上記フェンダは、それぞれ上記スタッド４２４に一体成形されている。シート金属ネジ４４０は、その後直接上記スタッドの開口部４３８内に螺合され、所定のトルクで締結されて、上記ネジが取り付けられる際の上記開口部内に設けられたネジの潰れを避けるようになっている。
上記圧縮機は、このようにして上記取付プレート４１６を介して上記一体形成されたスタッド４２４へとマウントされて、上記圧縮機のどの方向に対する運動でも、上記弾性体ブッシングにより吸収又は反発できるようにされている。特に、径方向においては力は、直接上記ブッシング４３０を通して各スタッドに対応する上記アーチ型壁４２６へと反発されていて、上方向に延びる上記スタッド４２４へと実質的に横方向に加えられる力を低減させている。
特定の実施例では、上記アーチ型壁はそれぞれ１０６°の円弧状に延ばされている。上記圧縮機の径方向の運動は、いかなる方向でもその後吸収され、少なくとも一つ以上の弾性ブッシング／アーチ型壁の組合せにより反発されるようになっていることが理解されよう。
図３、図５１、図５３、図５４に示されているように、上記室外機ファンモータ３２は、ペディスタル型の取付構造体４４０に取付られており、この取付構造体４４０は、上記室外機ハウジングの下側領域４０の下側壁４１４に一体成形されている。上記モータ支持体は、実質的に垂直に延び、上記下側壁４１４のそれらの下側端４４４に直接形成された離間した脚部４４２の第一の対を有している。その上部端４４６においては、上記垂直脚部４４２は、水平に延びた領域４４８を通って垂直に延びた脚部４５０の対となるように変化していて、これらの垂直に延びた脚部４５０は、実質的に上記第一の対となった脚部４４２に垂直に配列されている。
上記各脚部４５０の上部端４５２は、上記室外機ファンモータ３２の軸方向長さに実質的に等しい距離だけ互いに離間されている。図５１及び図５４に最も良く示されているように、上記脚部４５０の各上部端４５２は、上側に延びた面を画定しておりこの面には、中心に位置決めされた半円形の支持用溝４５４が設けられていて、上記モータの反対側の軸方向端部の対となる取付ブッシング４５６を収容するようになっている。モータ収容溝４５４の両側には、外部に離間された開口部４５８が設けられている。図５４に示されているように、上記成形されたモータ取付体は、上記開口部がその中空の内部に連通し、かつ上記開口部４５８それぞれに対応した水平方向において下側に向いたラッチ面４６０を画定するようになっている。
ファン３０が取り付けられた上記室外機用ファンモータ３２の取付は、上記ブッシング４５６を上記モータの軸方向反対側端部において、上記脚部４５０の上側端４５２内の収容構造体４５４内に位置決めすることによって行われる。これに続いて、図５７〜図６０に示したモータ取付クリップ４６２は、上記モータ取付体４４０へと組み付けられ、上記モータをその最終的な運転位置へと固定するようになっている。
各モータ取付クリップ４６２は、ＡＢＳ２１といったプラスチック材料から単一片として形成されていることが好ましい。上記クリップはそれぞれ、水平に延びた中心領域４６４を有しており、この中心領域は、半円形の溝４６６の内部に形成されていて、上記モータブッシング４５６の上側側部に係合するようになっている。上記水平領域４６４上の外側端部４６８に設けられているのは、対となった下側に延びたフレキシブルアーム４６８であり、それぞれその端部にラッチ面４７０を有している。このラッチ構造体は、それぞれが上側に向いたラッチ面４７２を有している。上記取付クリップ４６２の上記水平領域４６４にはまた、その反対側に対となった第二の開口部４７４が設けられており、上記アーチ型モータ連結領域４６６に直接隣接している。
フレキシブルアーム４６６及び上記ラッチコンフフォメーションは、上記モータマウンティングクリップが上記脚部４５２の上側端の一つの上部端上に、上記モータ連結面４６６が上記モータブッシング４５６に重なるようにして配置された場合に、上記クリップが、上記ラッチコンフォメーション４７０が上記開口部４５８に侵入するまで上記２つのフレキシブルアーム４６８を内側に折り曲げることによって、上記モータ取付体に装着されるようになっている。一旦配置され、上記モータブッシングに連結されると、上記ラッチアームは解放され、上記上向き面４７２は、上記開口部４５８に隣接した上記下向き面４６０に連結され、上記モータ取付クリップ４６２を順方向に保持し、上記モータファンアッセンブリを所望する運転位置に保持するようになっている。
上記フレキシブルアームが、保守の際又は上記空調機ユニットへの損傷により将来的に破損した場合には、上記モータクリップ４６２の上記モータユニットの上部端４５２への取付は、適切なネジの設けられた締結具を、上記クリップの上記開口部４７４及び上記上部端４５２に設けられた好適な開口部へと挿通することによって行われる。
上記室外機領域の上記下側ハウジング４０に取付られているのは、上記コンプレッサのモータと上記室外機モータの双方のための大きな円筒状金属ケースに収容されたキャパシタ４７６である。図３、図５４、図６１から図６３を参照すると、上記キャパシタ収容支持構造体４７８は、上記下側室外機ハウジング４０の下側壁４１４に一体成形されている。この支持体は、上記下側ハウジング４０の後部壁に直接隣接するように成形位置決めされている。上記キャパシタ支持体４８の直上部に上記後部壁４８０の別の側部に成形されているのは、矩形の開口部４８２及びその側部上に設けられた開口部４８２を超えて延びている前方延在壁領域４８４であり、対となった垂直延在スロット４８６を画定し、上記前部壁４８０を上記壁延長部４８４の間の上記開口部のそれぞれの側部に１つが設けられている。
上記キャパシタ４７６は、その上部端に取り付けられた複数の電線を有しており、したがって図６３に示されているようにキャパシタ支持体４７８内に配置されるようにされており、その上には、キャパシタカバー４８８が装着されるようになっている。上記キャパシタカバー４８８は、上記キャパシタ４７６の外径よりも僅かに大きい内径の、実質的に円筒形の要素４９０を有しており、これはその保護のためである。上記キャパシタカバーの外側円筒要素の表面４９０から径方向外側に延びているのは、対となった垂直延在Ｌ−形状脚部４９２である。この脚部４９２は、上記キャパシタカバー間の距離を超えて延びていて、これらが上述した上記垂直延長スロット４８６内に収容されるようにしている。上記脚部４９２及び上記垂直延長スロット４８６は、上記キャパシタ支持体４７８及び上記キャパシタカバー４８８が協動して異なった上記キャパシタ高さの上部端とそのターミナルとを保護しつつ、高さを変化させられるようにしている。上記Ｌ−形状脚部４９２とそのための収容空間４８６の間の連結は、装着されると摩擦により上記カバー４８８を保持するようになっている。
また、上記円筒状キャパシタカバー４９０から径方向に延びているのは、垂直延在面４９４であり、上記キャパシタカバーの上側内部からその解放端部４９６にまで垂直通路を画成している。図６３にも示されているように、これは、上記キャパシタからの上記多数の電気的配線４９８を上記ユニットの種々の電機部品に通すようにさせている。
また、上記円筒状キャパシタカバー４９０から径方向に延びているのは、充分な厚さを有する矩形の延長部５００であり、これにはネジの設けられた開口部５０２が上記カバーの内部にまで通されている。図６３に示されるように、このネジの設けられた開口部は、接地ネジ５０６を挿通して収容するようになっていて、これは、接地ワイヤ５０８に連結されている。上記ネジは、上記キャパシタ４７６の外側金属カバーに電気的に接触するようにされていて、その接地を行うようにしている。
図３、図１０、図５０〜図５２を参照すると、上記下側室外機ハウジング４０の上記下側壁４１４へと直接成形されているのは、構造壁５１０である。この壁５１０には、半円形の通孔５１２が設けられている。この開口部５１２は、上記室外機ハウジングに一体成形された下側に延びた構造壁５１６に形成された同様の開口部５１４と協動して、上記室外機のファンシュラウドを画定している。上記下側壁５１０の開口部５１２の反対側は、垂直に延びた構造領域５１８によって形成されており、それぞれは、上側に向いた平坦面５２０をその上部端に有している。上記面５２０は、そこから上側に延びたアライメントピン５２２を有しており、それぞれには内部に開口部が設けられている。
図５１及び図５２に最も良く示されているように、上記上部ハウジング３８には、矩形の開口部５３４がその頂部面５２６に設けられている。上記開口部は、上記壁の上側のアーチ型の空間５２８と開口部５１４と連通している。上記アーチ型空間５２８の反対側の脚部の下側端５３０では、上記ハウジング３８には、対となった構造取付点が設けられており、それぞれは、内部に円筒形の開口部５３２を有していて、上記面５２０から延びた上記ピン５２２を収容するようになっている。通孔５３４は、取付構造体５３０に設けられており、これによってそれぞれの開口部５３２を通してネジの設けられた締結具５３５を収容し易くさせていると共に、上記ピン５２２の開口部内に収容させやすくなっていて、上記空調機ユニットが組み立てられた場合には、上記上部外側ハウジング３８を上記下側ハウジング４０へと構造的に取り付けるようにしている。この様な組立が終わった後、矩形のフィラー５３６が、上記開口部５２４へとスナップフィットされるようになっている。
図３、図５１を再度参照すると、上記下側領域の上記壁５１０は、対角線上の延びた構造延長部５３８を有していて、この延長部は、上記凝縮器コイル２８の一端に隣接した自由端で停止されている。上記壁延長部５３８の端部には、概ね５４０で示される２つの垂直方向に延びた壁領域が設けられており、上記凝縮器コイル２８のチューブシート５４２のうちの一つを収容位置決めする開いたコーナを画定させている。同様に、上記チューブシート５４６は、上記凝縮器コイルの他端において同様の構造体により支持されている。同様にして、垂直に延びた支持構造体は、上記チューブシート５４２及び５４６の双方の背後端部に設けられている。この結果、上記凝縮器コイル２８の取付は、上記凝縮器コイル２８を、ガイドとして上述の垂直支持面を用いてその位置に垂直に下げるだけで行うことができる。
これに対応した同様の構造体は、上記上部室外機ハウジング３８に設けられており、上記上側ハウジングは、上記下側ハウジングに一度上述した一つの凝縮器コイルが上記下側ハウジングに位置決めされると、装着することができる。この様な取付によって、上記凝縮器コイル２８をその所望する位置にその他の機械的締結具を用いることなく保持させることができる。
上記室外機ファンモータ３２及び上記室外機ファンアッセンブリ及び上記ファンシュラウドの下側部分を画定し、上記ファンシュラウドの上部部分を位置決めする上記壁５１０の支持は、その同一の部品に一体成形されている。上記室外機ファン３０と上記開口部５１２及び５１４の間のクリアランスによって画定される上記シュラウドは、極めて近接した許容度を有しており、このため上記ユニットの全運転効率を著しく向上させることができることが理解されよう。
前述したように、本発明の上記空調機ユニット１０は、室内用空調機として用いられ、上記室内モジュール１２及び上記室外モジュール１４は、上述したように互いに一体とされ、金属ベースのパン１６に取り付けられている。上記室内モジュールを上記室外モジュールを組み立てるのは実に簡単なことが理解されよう。組立のシーケンスは、まず、上記室外モジュール１４を図１０のように上記上側ハウジング３８を取り外して組み立てる。この上側カバー３８が取り外されると、上記冷凍チューブ１６４及び上記制御ボックスからの適切な電気ワイヤリング２４０は、上記上側ハウジング３８及び上記下側ハウジング４０双方に設けられた半円形の開口部５５２によって画成される上記室外ハウジングの前部壁の開口部５５０を通される。
上記室内モジュール及び上記室外モジュールの取付は、上記下側ハウジング４０の上記前部壁４８０に形成され、対となった構造的フック５５３を、上記室内機ハウジング４４の後部壁４６に一体成形された対となった開口部５５４に整列させる。図２及び図５１に最も良く示されているように、上記フック５５３は、後方に延びた傾斜領域５５８を備えた実質的に垂直に延びた領域５５６を有している。この組立の容易さは、上記フック５５３上に整列させることで、上記室内モジュール１２の上記開口部５５４の外側モジュールの隣接した垂直に配置させた組立を容易とする。上記フック５５３と上記開口部５５４の係合は、その後単に上記室内モジュール１２上に力を加えることによって行われる。
この様に組立た後、上記冷凍チューブ１６４及び電気的ワイヤ２４０の適切な相互連結が行われる。この後、上記室外機ハウジングの上記上部領域３８は、これを上記下側領域４０の直上に垂直配列させて、これを上記室内機ハウジング４４の上記後部壁４６をガイドとして下側に降ろして上記ユニットへと装着する。上記上側ハウジング３８が降ろされて設置され、上記支持構造体５４８が、上記凝縮器コイル２８の上部側を支持するように上記コイルへと係合される。また、上記整列ピン５２２と上記ファンシュラウドの反対側の上記開口部５３４の上述した連結は、連結するように移動されて、上記ネジの設けられた締結具５３５は、その後装着されて上記上側ハウジング３８の上記下側ハウジング４０への装着が完了する。好適な整列構造体は、概ね５６０で示されており、これは、上記室外機吐出ルーバ４２領域において上記上側ハウジングと上記下側ハウジングが双方の背面に設けられている。この構造体は、詳細には説明しないが、上記ハウジングが互いに連結された場合には、簡単にフレキシブルな後部へ機部分の整列をさせるようになっている。
これに続いて、上記矩形フィラー５３６は、上記矩形開口部５２４へと上記外側ハウジング３８の頂部においてスナップ連結される。さらに、相互連結が、対となったネジの設けられた締結具によって、リップ５６６内の対となった開口部５６４を通されこれは、上記上部ハウジング３８の頂部５２６から前方に延ばされている。上記リップ５６６は、上記室内ハウジング４４の頂部壁４８内の対となる溝５６８と重なりあうようにされていると共に、それに設けられた開口部５７０を通されて、上記室内モジュールと室外モジュールの間の相互連結が完了するようにされている。
上記室内モジュールと上記室外モジュールの組立は、その後上記金属ベースパン１６に配置することによって行われるが、これが図１、図５０及び図６４に示されている。上記ベースパン１６は、構造的スチールシートから製造されており、実質的に平坦な底部領域５７２を有しており、この底部領域には、多数のチャンネル構造が通されている。上記ベースパン１６は、垂直に上側に延びた左側壁５７６と右側壁５７８とをそれぞれ有していて、後部壁５８０は、その間に形成されている。これらの壁は、上記空調機ユニット１０の外側壁に順方向に係合するようにして垂直に充分延びていて、上記ルーバ３６及び４２を通過するどのような空気流をも遮らないようにして上記ユニットを支持している。少なくとも右手側側壁５７８は、通孔を備え、前方に延びたタブ５８２を有しており、この通孔は上記室内機ハウジング４４の上記下側右側壁５４に備えられている対となる開口部５８６と整列されている。図示されているように、この連結は、簡単に“セーフティ”連結を与えており、荷積み及びその後の取付の際の上記空調機ユニット１０の上記ベースパンの外への移動を防止するようになっている。これについては、以下に説明する。
上記室内モジュール及び室外モジュール１２，１４が組み付けられると、上記空調機システム１０は、湿った空気を通過させて除去した凝集物を集め、この凝縮物を上記室外モジュール１４の背後へと導くようにされているが、これについて以下に説明する。図２４〜図２６を再度参照すると、上記蒸発機コイル２０の下側部分を取り付けている上記スクロール容体９０の上記下側延長部１５０は、上記システムが室内空調機として用いられている場合には上記蒸発機コイル２０の凝集物のドレンパンとなっていることが理解されよう。図５にも示されているように、円筒状のアウトレット５８８が、上記ドレンパン１５０に連通するように上記スクロール容体９０の底部に設けられている。
上記室内機領域が組立られると、上記円筒状のアウトレット５８８は、伸縮自在に上記延長された中空チューブ７２の外側端部を収容し、この延長された中空チューブは、上述したように、また図１１及び図１２に図示されているように上記室内機ハウジングの後部壁４６に成形されている。図３を参照すると、上記凝縮物ドレンチューブは、上記室内機ハウジング４４の上記後部壁４６から導出され、図２及び図３に示されているように上記下側室内機ハウジング４０の前部壁５８０の開口部５９２を取り囲むようにして収容構造体５９０と連通されている。適切なシール組成物は、緊密連結を確実に行うために、上記伸縮自在ジョイントの周囲に施されている。
図３を引き続いて参照すると、上記開口部５９２は、上記ハウジング領域４０の上記下側壁４１４に一体成形された凝縮物フローチャンネル５９４と連通されている。このチャンネルは、対となった垂直に延びた実質的に平行な壁５９６及び５９８によって画定されていると共に、上記壁５１０の概ね背後に延ばされている。その後、右に延びて、上記壁延長部５３８の端部周りを巡って、後部のチャンネル６００へと延びさらに、上記凝縮器コイル２８に平行に延びている。上記チャンネル６００を通る水は、上記室外機ファン３０の作用により上記凝縮器コイル２８へと吹き付けられて、上記システムの効率を向上させるようにされていることが好ましい。この様な作用の結果として蒸発しなかったどのような凝縮物であっても、上記チャンネル６０の左手側端部へと流れて行き、円筒形の出口６０２を通して上記下側ハウジング４０から排出されるようになっている。
上述した凝縮物の除去システムは、上記空調機ユニット１０が室内空調機として用いられている場合には簡単、かつ効率的に設計することができることは理解されよう。上記空調機ユニットが分離システムとして用いられ、上記室内モジュール１２が、その頂部と底部とが逆転されている場合の、上記スクロール容体９０の凝縮物ドレン収集器としての能力について、以下に説明する。
上記金属ベースパン１６のさらなる特徴は、適切な矩形開口部６０４を通して上記空調機ユニット１０を容易に取り付けることができることにあり、この矩形開口部は、壁に設けられた開口部又は適切な寸法とされたウインドウとなっている。図６４及び図５０を参照すると、上記ベースパンの開いた前部端には、一体成形され、延びた下方向に延在するアライメントフランジ６０６が設けられている。一度適当なサイズの開口部６０４が形成されると、上記室内モジュール１２及び上記室外モジュール１４アッセンブリは、前方に延びているタブ５８２内のネジを取外すことによって、上記金属ベースパン１６から取り外される。このベースパン１６は、その後その内側壁６０８をそれを取囲んだ開口部６０４に係合させることによって、上記アライメントフランジ６０６を介して上記開口部６０４内に配置される。対となった対角線上に延びた支持用チャンネル６１０は、上記空調機ユニット１０に設けられており、その後上記ベースパン１６及び上記開口部６０４の内側面６１２へと装着され、上記ベースパン１６が、上記空調機ユニット１０を支持するために最適な位置へと正確に整列されることになる。
図６４を続けて参照すると、上記対角線上のチャンネル６１０は、構造用金属シートから形成されており、いくつかの強化用リブ６１６が形成された長手方向に延びた領域６１４を有している。上記各チャンネル６１０の各外側端部は、下側フランジ６１８を有しており、これは、内側に曲げられて下側に回り込んでいて、構造的に上記ベースパン１６を支持している。上記延びた領域６１４の下側端部には、内部に開口部６２０が設けられており、この開口部は、上記ベースパン１６の上記側壁５７６及び５７８に設けられた対となる開口部６２２に軸方向に整列されるようになっている。適切なネジの設けられた締結具（図示せず）は、上記開口部６２０と６２２を通されていて、構造的に上記支持体６１０を上記ベースパン１６に取り付けるようになっている。
上記チャンネルの上記延びた領域６１４の上側端には、外側に曲がった整列用タブ６２４が設けられている。上記対角線上の支持チャンネル６１０の長さは、上記支持体が上記ベースパンに上述したように取り付けられた場合に、上記整列用タブ６２４が、上記内側壁６０８と係合し、上記ベースパン１６が、上記空調機ユニット１０の装着及び運転に最適な配置となるようにしている。したがって、上記整列用タブが、上記壁６０８に係合すると、適切な締結具は、上記内側壁の材質にもよるが、上記チャンネルの延びた領域６１４の部分に設けられた通孔６２６を通して取付られ、上記側壁６０４の面６１２と突き合うようにされている。
上記支持構造体の取付の後、図６４に示されているように、組立られた空調機ユニット１０は、容易に上記ベースパン１６へとスライドさせることができ、取り付けネジを再度取り付けることで上記空調機を運転位置に保持させることができるようになっている。上記ユニットは、その後プラグインされ、電源が投入されて、冷却及び除湿が行われる。
前述したように、上記空調機ユニット１０のモジュール構成は、分離型システムの空調機として、上記室内モジュール１２と上記室外モジュール１４とを別々に取付ることを可能とする。この取付が、図６５及び図６６に記載されている。
まず、上記室外機領域については、上記下側ハウジング４０の側壁６３０には、全くルーバが設けられていないことに留意されたい。上記ルーバの位置には、開口部６３２が設けられており、この開口部は、冷凍機チューブ及び電気ワイヤへのアクセスを容易にさせていて、これが概ね参照符号６３４として示されている。上記チューブ及び電気ワイヤリングは、外側壁６３６を通されて、上記室内モジュール１２と連通されているのが示されていると共に、その天井６４０に近接したその内側壁６３８に取付られている。
上記分離型システム用途の上記室内モジュール１２は、上記室内モジュール１２が、室内用空調機として配置される方法とは、頂部と底部が逆にされて配置されている。この様に取付けることは、矢印６４２によって示される上記空気吐出が、上記室内空気吐出部２６を通して上記ハウジングの下側端部に位置するようにされていて、これは、上記分離型空調機システムでは通常になされているようになっている。また、上記制御ノブ２９６は、下側端部にあり、これは、高い壁に取付られているよりも、より簡単にアクセスできるようにしている。上記ユニットには、制御のための遠隔制御配置が設けられていても良く、これは、上記制御ボックス１８２の位置に装着されて、従来から良く知られているように遠隔制御で駆動できるようになっている。
上記室内モジュールのすべてのシステムは、上述したように上記反転配置において効率的に運転できるように設計されている。
上記のような分離型システム用途では、上記室内モジュール１２の室内空調機用途とは異なった一つの機能は、凝縮物廃棄システムにある。再度図２４〜図２６を参照すると、上記蒸発機コイルは、実質的に同一の水平方向に延びた延長部１４８と１５０内に、その上側端及び下側端で支持されていることに留意されたい。上述したように、上記下側延長部１５０は、上記ユニットが室内空調機として用いられている場合には、上記凝縮物のドレンパンとされる。上記ユニットが分離システムとして用いられる場合には、上記凝縮物ドレンパン１４８は、同様な方法で上記凝縮物収集器とされる。図２５に示されているように、アウトレット６４４は、上記凝縮物ドレンパン１４８と連通されている。上記アウトレット６４４には、凝縮物ドレンチューブ（図示せず）が設けられており、このチューブは、上記室内機ハウジング４４の後部壁に設けられた開口部６４６を通されているが、これが図１１に示されている。この点から、上記凝縮物ドレンチューブは、従来の上記の分離システム取付の様に、適切な凝縮物排出位置へと通すことが可能となっている。
【図１】
0003671058.tif 000002
【図２】
0003671058.tif 000003
【図３】
0003671058.tif 000004
【図４】
0003671058.tif 000005
【図５】
0003671058.tif 000006
【図６】
0003671058.tif 000007
【図７】
0003671058.tif 000008
【図８】
0003671058.tif 000009
【図９】
0003671058.tif 000010
【図１０】
0003671058.tif 000011
【図１１】
0003671058.tif 000012
【図１２】
0003671058.tif 000013
【図１３】
0003671058.tif 000014
【図１４】
0003671058.tif 000015
【図１５】
0003671058.tif 000016
【図１６】
0003671058.tif 000017
【図１７】
0003671058.tif 000018
【図１８】
0003671058.tif 000019
【図１９】
0003671058.tif 000020
【図２０】
0003671058.tif 000021
【図２１】
0003671058.tif 000022
【図２２】
0003671058.tif 000023
【図２３】
0003671058.tif 000024
【図２４】
0003671058.tif 000025
【図２５】
0003671058.tif 000026
【図２６】
0003671058.tif 000027
【図２７】
0003671058.tif 000028
【図２８】
0003671058.tif 000029
【図２９】
0003671058.tif 000030
【図３０】
0003671058.tif 000031
【図３１】
0003671058.tif 000032
【図３２】
0003671058.tif 000033
【図３３】
0003671058.tif 000034
【図３４】
0003671058.tif 000035
【図３５】
0003671058.tif 000036
【図３６】
0003671058.tif 000037
【図３７】
0003671058.tif 000038
【図３８】
0003671058.tif 000039
【図３９】
0003671058.tif 000040
【図４０】
0003671058.tif 000041
【図４１】
0003671058.tif 000042
【図４２】
0003671058.tif 000043
【図４３】
0003671058.tif 000044
【図４４】
0003671058.tif 000045
【図４５】
0003671058.tif 000046
【図４６】
0003671058.tif 000047
【図４７】
0003671058.tif 000048
【図４８】
0003671058.tif 000049
【図４９】
0003671058.tif 000050
【図５０】
0003671058.tif 000051
【図５１】
0003671058.tif 000052
【図５２】
0003671058.tif 000053
【図５３】
0003671058.tif 000054
【図５４】
0003671058.tif 000055
【図５５】
0003671058.tif 000056
【図５６】
0003671058.tif 000057
【図５７】
0003671058.tif 000058
【図５８】
0003671058.tif 000059
【図５９】
0003671058.tif 000060
【図６０】
0003671058.tif 000061
【図６１】
0003671058.tif 000062
【図６２】
0003671058.tif 000063
【図６３】
0003671058.tif 000064
【図６４】
0003671058.tif 000065
【図６５】
0003671058.tif 000066
【図６６】
0003671058.tif 000067